(57)【要約】      （修正有）【課題】  機器本体から突き出しているコネクタ本体が受けるこじり、曲げなどの外力をハウジングを覆うメタルシエルによって効果的に吸収させ、コンタクトのリード部のはんだ付け部分に、外力の影響によるはんだクラックを防止したプリント配線板用コネクタを提供する。【解決手段】  複数のコンタクト３が並列して配設されている絶縁ハウジング２がメタルシエル４で覆われ、コンタクト３のリード部３ｃが絶縁ハウジング２の後端部から延出してプリント配線板３０にはんだ接続され、コネクタ本体１ａがプリント配線板３０から突出しているプリント配線板用コネクタ１であって、リード部３ｃの近傍においてメタルシエル４の両側板１２ａから下方へ延び、プリント配線板３０にはんだ付けされる支持脚部１６が設けられ、支持脚部１６の前側に隣接するメタルシエル４の両側板１２ａの下端縁に、プリント配線板３０にはんだ付けされる補助支持片１７が設けられている。【選択図】      図６
2006134734.tif 000002
【特許請求の範囲】
【請求項１】
複数のコンタクトが並列して配設されている絶縁ハウジングがメタルシエルで覆われ、前記コンタクトのリード部が前記絶縁ハウジングの後端部から延出して、プリント配線板の端部にはんだ接続され、前記コンタクトの電気接触部を含むコネクタ本体が前記プリント配線板の端縁から突出しているプリント配線板用コネクタであって、
前記リード部の近傍において前記メタルシエルの両側板から下方へ延び、前記プリント配線板に設けた貫通孔に挿通してはんだ付けされる支持脚部が設けられ、
前記支持脚部の前側に隣接する前記メタルシエルの両側板の下端縁に、前記プリント配線板にはんだ付けされる補助支持片が設けられていることを特徴とするプリント配線板用コネクタ。
【請求項２】
前記補助支持片の前側に隣接する前記メタルシエルの両側板部分に切込み部を設けて、前記両側板より容易に弾性変形可能なくびれ部が形成されている請求項１記載のプリント配線板用コネクタ。
【請求項３】
前記リード部が延出する前記絶縁ハウジングの後端部の下側部分を欠除して、切欠き段部が形成され、該切欠き段部を前記プリント配線板の端部に係合して装着される請求項１又は２記載のプリント配線板用コネクタ。
【請求項４】
請求項１、２又は３記載の表面実装コネクタを装着した前記プリント配線板が収納ケースに収納され、前記プリント配線板用コネクタの前記コンタクトの電気接触部を含むコネクタ本体が前記収納ケースの開口部を通じて突き出しているコネクタ付き機器。
【発明の詳細な説明】
【技術分野】
【０００１】
本発明は、携帯型メモリ装置などのＵＳＢコネクタ付き小型機器に使用するのに好適なプリント配線板用コネクタに関するものである。
【背景技術】
【０００２】
ＵＳＢコネクタ付き小型機器は一般的に、コネクタ本体が機器本体から突き出している構成であり、コネクタはプリント配線板の端部に実装され、コネクタ本体がプリント配線板の端縁から突出している（特許文献１、特許文献２参照）。
【０００３】
そして、このようにコネクタを実装したプリント配線板が機器本体に収容され、機器本体から突き出しているコネクタ本体をコンピュータ本体等に内蔵した相手側のＵＳＢコネクタに差し込んで使用されるものである。
【０００４】
しかし、前記コネクタ本体は、その差し込み、引き抜き操作時に、こじり、曲げなどの外力を受け易く、このような外力によって、プリント配線板にはんだ接続されている前記コネクタのリード部のはんだ付け部分にクラックが発生し、接触不良を起こすおそれがあった。
【特許文献１】特開２００３−２８２１７８号公報
【特許文献２】実用新案登録第３１０１２９５号公報
【発明の開示】
【発明が解決しようとする課題】
【０００５】
本発明は、上記事情に鑑みなされたものであり、機器本体から突き出している前記コネクタ本体が受けるこじり、曲げなどの外力を、前記コネクタのハウジングを覆うメタルシエルによって効果的に吸収させ、前記リード部のはんだ付け部分には極力、外力の影響を受けない構造にして、前記リード部のはんだクラックを防止したプリント配線板用コネクタを提供することを目的とする。
【課題を解決するための手段】
【０００６】
上記目的を達成するために、本発明は、複数のコンタクトが並列して配設されている絶縁ハウジングがメタルシエルで覆われ、前記コンタクトのリード部が前記絶縁ハウジングの後端部から延出して、プリント配線板の端部にはんだ接続され、前記コンタクトの電気接触部を含むコネクタ本体が前記プリント配線板の端縁から突出しているプリント配線板用コネクタであって、前記リード部の近傍において前記メタルシエルの両側板から下方へ延び、前記プリント配線板に設けた貫通孔に挿通してはんだ付けされる支持脚部が設けられ、前記支持脚部の前側に隣接する前記メタルシエルの両側板の下端縁に、前記プリント配線板にはんだ付けされる補助支持片が設けられていることを特徴とする。
【０００７】
前記コネクタ本体に作用するこじり、曲げなどの外力は、前記支持脚部と前記補助支持片とで受けて吸収され、前記リード部のはんだ付け部分が保護される。
【０００８】
前記補助支持片の前側に隣接する前記メタルシエルの両側板部分に切込み部を設けて、前記両側板より容易に弾性変形可能なくびれ部が形成されている構成をすることが好ましい。
【０００９】
この場合、前記コネクタ本体に作用する外力は、前記支持脚部と前記補助支持片に加えて、前記くびれ部が弾性変形することで、効果的に吸収され、前記リード部のはんだ付け部分が保護される。
【００１０】
また、プリント配線板に実装する場合、前記リード部が延出する前記絶縁ハウジングの後端部の下側部分を欠除して、切欠き段部を形成し、該切欠き段部を前記プリント配線板の端部に係合してコネクタが装着される構成にすると、前記プリント配線板上の高さを低くすることができる。
【００１１】
上記のように構成される本発明のプリント配線板用コネクタは、前記プリント配線板に装着して収納ケースに収納され、前記コネクタ本体が前記収納ケースの開口部を通じて突き出している構成としてコネクタ付き機器とする。
【発明の効果】
【００１２】
上述のように、本発明のコネクタは、プリント配線板の端縁から突出するコネクタ本体に作用するこじり、曲げなどの外力が前記支持脚部と前記補助支持片とで受けて吸収されるので、前記プリント配線板にはんだ接続されている前記リード部のはんだ付け部分は保護されて外力の影響が及ぶことが少なく、はんだクラックの発生を防止することができる。
【００１３】
また、請求項２に係る発明によれば、前記支持脚部と前記補助支持片に加えて、前記くびれ部が弾性変形することで、前記コネクタ本体に作用する外力をより効果的に吸収して、前記リード部のはんだクラックを一層確実に防止することができる。
【発明を実施するための最良の形態】
【００１４】
以下、本発明の実施の形態を図面に基づいて説明する。
【００１５】
図１〜図５は、本発明に係るプリント配線板用コネクタ１を示している。該コネクタ１は、絶縁ハウジング２と、該絶縁ハウジング２に並列して配設される４本のコンタクト３と、絶縁ハウジング２を覆うメタルシエル４とで構成されている。
【００１６】
絶縁ハウジング２は、ＰＰＳ樹脂などの耐熱・絶縁性樹脂材料により断面矩形状に成形され、図５に示すように、前後方向に貫通するコンタクト収容孔５が横方向に並列して設けられていると共に、後端部の下側部分を欠除して上側部分に切欠き段部６が形成されており、切欠き段部６の下面に後述するプリント配線板３０に実装する際の位置決め突部７が設けられている。
【００１７】
コンタクト３は、導電性金属薄板、例えばリン青銅の薄板を打抜き曲げ加工して細長い帯状体に形成されていて、図５に示すように、絶縁ハウジング２のコンタクト収容孔５に挿通して個別的に収容され、絶縁ハウジング２の前側部分において上方に露出している電気接触部３ａと、絶縁ハウジング２の後端部から延出し、切欠き段部６の下面に沿うように折り曲げられた屈曲部３ｂと、屈曲部３ｂの後端に連設されたリード部３ｃとから成っている。なお、絶縁ハウウジング２に並列して配設される４本のコンタクト３のうち内側に位置している２本のコンタクト３は先端部分が僅かに短くなっている。
【００１８】
メタルシエル４は、金属板を扁平な角筒状に曲げ加工して形成され、絶縁ハウジング２の上部を覆う上板１１と、上板１１の両側端縁から直角に曲げ加工され、絶縁ハウジング２の両側壁を覆う両側板１２，１２と、両側板１２，１２の下端縁から内側へ直角に曲げ加工され、絶縁ハウジング２の底壁を覆う底板１３，１３とから成り、図４に示すように、両底板１３，１３の突き合わせ端縁に設けられた、互いに噛み合う係止突片１４と係合凹部１５との係合によって、扁平な角筒形状となし、前端に相手側コネクタ（図示せず。）が嵌合する開口部１６が形成されている。一方、絶縁ハウジング２の後端部の切欠き段部６の上壁を覆う上板１１の両側端縁から直角に曲げ加工された両側板１２ａ，１２ａは切欠き段部６の両側壁を覆うように短く形成されている。該短い両側板１２ａ，１２ａには、コンタクト３のリード部３ｃより前方位置において、下方へ延び、後述するプリント配線板３０に貫通して設けた長孔３２，３２に挿通する一対の支持脚部１６，１６が連設されていると共に、支持脚部１６，１６の前側に隣接する両側板１２ａ，１２ａの下端縁に、プリント配線板３０表面にはんだ付けされる補助支持片１７，１７が形成されている。さらに、補助支持片１７，１７の前側に隣接する短い両側板１２ａ，１２ａの下端縁から上向きに延びる切込み部１８，１８を設けて、短い両側板１２ａ，１２ａの上下方向の長さをさらに縮小したくびれ部１９，１９が形成されていて、該くびれ部１９，１９は、短い両側板１２ａ，１２ａより容易に弾性変形可能になっている。
【００１９】
上記構成のメタルシエル４は、図１及び図５に示すように、その上板１１から切り起こした係止片２０を絶縁ハウジング２の後部上壁に設けた凹部２１に係合させると共に、両側板１２，１２から切り起こした係止片２２を絶縁ハウジング２の両側壁に設けた凹部（図示せず。）に係合させて、絶縁ハウジング２全体を覆うように組み付けられる。
【００２０】
図６、図７は、上記のように構成されたプリント配線板用コネクタ１をプリント配線板３０の端部に装着した使用状態を示している。図７に示すように、プリント配線板３０の端部には、絶縁ハウジング２の位置決め突部７，７が嵌合する位置決め孔３１，３１と、メタルシエル４の支持脚部１６，１６が挿通する長孔３２，３２が貫通して設けられている。また、プリント配線板３０の表面には、コンタクト３のリード部３ｃをはんだ付けして回路パターン（図示せず。）に電気的に接続するためのはんだ膜３３と、長孔３２の周縁に沿って配設したはんだ膜３４が塗着されている。
【００２１】
コネクタ１は、後端部の切欠き段部６をプリント配線板３０の端部に係合して、位置決め突部７，７を位置決め孔３１，３１に嵌合して位置決めすると共に、両支持脚部１６，１６を長孔３２，３２に挿通した状態において、はんだ膜３３，３４を溶融させると、図８及び図９に良く示されているように、コンタクト４のリード部３ｃがはんだ付けされてプリント配線板３０に表面実装されると同時に、支持脚部１６，１６が長孔３２，３２の内側壁面にはんだ付けされ、さらに補助支持片１７，１７がプリント配線板３０の表面にはんだ付けされて、コネクタ１がプリント配線板３０の端部に装着される。図中、３３ａはリード部３ｃのはんだ付け部分、３４ａは支持脚部１６のはんだ付け部分、３４ｂは補助支持片１７のはんだ付け部分を示している。このように装着されたコネクタ１は、コンタクト４の電気接触部３ａを含むコネクタ本体がプリント配線板３０の端縁３０ａから突出している。
【００２２】
図１０は、上記のようにコネクタ１を装着したプリント配線板３０を収納ケース４０に収納して、携帯型メモリ装置などのコネクタ付き機器とした使用例を示しており、コネクタ１の電気接触部３ａを含むコネクタ本体１ａが収納ケース４０から突き出している。
【００２３】
そして、収納ケース４０から突き出しているコネクタ本体１ａをコンピュータ本体等に内蔵した相手側コネクタ（図示せず。）に差し込んで電気的・機械的に接続するが、コネクタ本体１ａの差し込み、引き抜き操作時に、コネクタ１にこじり、曲げなどの外力を受けることが多い。しかしこのような外力は、コネクタ１後端部の支持脚部１６，１６及び補助支持片１７，１７のはんだ付け部分３４ａ及び３４ｂで吸収され、さらにはくびれ部１９，１９の弾性変形によって吸収され、コンタクト３のリード部３ｃのはんだ付け部分３３ａに外力の影響が及ぶことはほとんどない。したがって、リード部３ｃのはんだ付け部分３３ａにはんだクラックが発生するのを防止することができる。
【００２４】
上記した実施の形態では、コンタクト３のリード部３ｃがプリント配線板３０の表面にはんだ付けして接続される表面実装タイプであるが、図１１に示すように、リード部３ｃをプリント配線板３０に設けた取付孔３５に差し込み、はんだ付けして接続させるＤＩＰタイプとしてもよい。３３ｂははんだ付け部分である。
【図面の簡単な説明】
【００２５】
【図１】本発明に係るプリント配線板用コネクタの斜視図である。
【図２】同上コネクタの正面図である。
【図３】同上コネクタの側面図である。
【図４】同上コネクタの底面図である。
【図５】図２の５−５に沿う断面図である。
【図６】同上コネクタをプリント配線板の端部に装着した状態を示す縦断側面図である。
【図７】図６のコネクタを破線で示したプリント配線板要部の平面図である。
【図８】同上コネクタとプリント配線板とのはんだ付け部分を示す要部拡大断面図である。
【図９】同上コネクタの支持脚部のはんだ付け状態を示す要部拡大横断面図である。
【図１０】同上コネクタを使用した機器の要部縦断側面図である。
【図１１】本発明の別の実施形態によるコネクタとプリント配線板用コネクタとのはんだ付け部分を示す要部拡大断面図である。
【符号の説明】
【００２６】
１  プリント配線板用コネクタ
１ａ  コネクタ本体
２  絶縁ハウジング
３  コンタクト
３ａ  電気接触部
３ｂ  屈曲部
３ｃ  リード部
４  メタルシエル
５  コンタクト収容孔
６  切欠き段部
１２，１２  両側板
１２ａ，１２ａ  短い両側板
１６，１６  支持脚部
１７，１７  補助支持片
１９，１９  くびれ部
３０  プリント配線板
３２  長孔（貫通孔）
３３ａ，３３ｂ  リード部３ｃのはんだ付け部分
３４ａ  支持脚部１６のはんだ付け部分
３４ｂ  補助支持片１７のはんだ付け部分
３５  取付孔
４０  収納ケース
【図１】
2006134734.tif 000003
【図２】
2006134734.tif 000004
【図３】
2006134734.tif 000005
【図４】
2006134734.tif 000006
【図５】
2006134734.tif 000007
【図６】
2006134734.tif 000008
【図７】
2006134734.tif 000009
【図８】
2006134734.tif 000010
【図９】
2006134734.tif 000011
【図１０】
2006134734.tif 000012
【図１１】
2006134734.tif 000013